(57)【要約】【課題】トランクスやブリーフなどの西洋型パンツの働きに比べ、日本型パンツの越中ふんどしは、陰嚢の覆い方がその密着度において少なく、陰嚢への通気性が高いのである。特に夜間布団の中で寝ていても、陰嚢を覆う布地が少なく、かつ陰嚢への密着度が悪いので、布団の中でも少なからずの通気性を有している。本発明は、このような従来の越中ふんどしの長所を更に秀逸なものした、陰部への通気性が極めて優れていて、かつ従来の越中ふんどしより着用しやすいもので、精嚢が活性化しやすい新型の越中ふんどし型パンツ＆パンティを提供しようとするものである。【解決手段】【請求項１】（イ）腹部止めベルトは、伸縮可能な素材で成型すると共に、前記腹部止めベルトの両端部に、この両端部を容易に係着できる係着部を設ける。（ロ）帯状布は、狭窄部を長方形状の帯状布３の中間部に、弓形状に欠切して設けると共に、後端部にはベルト着脱部を設け、かつ前端部には略ホームベース形状の前垂れ部を成型して設ける。以上の組み合わせよりなる越中ふんどし型パンツ＆パンティ。【選択図】　図２
2004131909.tif 000002
【特許請求の範囲】
【請求項１】
（イ）腹部止めベルト（１）は、伸縮可能な素材で成型すると共に、前記腹部止めベルト（１）の両端部に係着部（２）、（２）を設ける。
（ロ）帯状布（３）は、狭窄部（４）、（４）を帯状布（３）の中間部に、弓形状に欠切して設けると共に、後端部にはベルト着脱部（５）、（５）を設け、かつ前端部には略ホームベース形状の前垂れ部（６）を成型して設ける。
以上の組み合わせよりなる越中ふんどし型パンツ＆パンティ。
【請求項２】
帯状布（３）の前方位置に前出口（７）を設けたものである請求項１記載の越中ふんどし型パンツ＆パンティ。
【請求項３】
前出口（７）の下方の生地を帯状布（３）に代え、メッシュ生地（８）にしたものである請求項１、２記載の越中ふんどし型パンツ＆パンティ。
【発明の詳細な説明】
【０００１】
【発明の属する技術分野】
本発明は、最小の布で陰部を覆うことができる、通気性に最も優れたパンツに関する。
【０００２】
【従来の技術】
日本人は古来からふんどしを着用していた。ふんどしの中でも越中ふんどしは、長方形状の布地に紐をＴ字形に縫い付けただけのシンプルなものだが、そのシンプルさからか日本国中で愛用されていた。その愛用期間はおよそ神代の時代から、昭和２０年頃までである。越中ふんどしは、高温多湿の日本の気候によく適しており、特に汗が大量に出る夏季には、越中ふんどしは通気性がよい分、陰部や股や肛門などが、蒸れたり、爛れたりすることが起こりにくく、日本人には手放せない必需品であったようである。
【０００３】
【発明が解決しようとする課題】
従来の技術で述べたように、越中ふんどしは、日本人が長い間愛用してきたもので、日本人のパンツとしての役割を果たしてきた。特に越中ふんどしは日本人の男子の健康と大きな関係があった。それは男性の特質として身体に陰嚢と陰茎がついているが、その陰嚢には、睾丸（「精嚢」ともいう−以下「精嚢」という−）が内蔵されていることに起因する。この精嚢の主たる役割は次の二つである。▲１▼精子を製造すること。▲２▼男性ホルモンを製造分泌すること。である。精嚢がこれらの役割を果たすには、精嚢を体温より低い温度の場所に所在させる必要がある。その場所が陰嚢なのである。陰嚢では精嚢が活動しやすいように体温より数度低い温度を保つようにしなければならない。温度が高すぎるときには、陰嚢の表面を薄くだらりと伸ばして放熱し、陰嚢内の温度を下げる。また反対に温度が低すぎるときは、陰嚢の表面を肉厚状態に収縮させて体外の冷たさが精嚢に伝わらないように保温に努めるのである。このように精嚢には温度が高すぎても、低すぎても悪条件になるのであるが、特に温度が高すぎると精子は死滅してしまうことから、高温には頗る敏感に反応している。精嚢はこのように温度に対して極めて敏感なので、ここを覆うパンツもまた保温などに対して繊細に対応するものでなければならない。
【０００４】
従来のトランクスやブリーフなどの精嚢を覆うパンツは、はたしてこうした精嚢に適したものであったであろうか？人は起きている間は、主として上半身で汗をかく。寝ている間は逆に、主として下半身で汗をかくことになる。起きている間は主に上半身で汗がでるのであるし、また体を動かせばトランクスでもブリーフでもその中に空気が出入し、陰嚢はその空気で結構冷やされるのでさして問題はない。問題があるのは寝ている間の方である。トランクスやブリーフなどのパンツを履いて、その上から掛け布団をかけて寝ると、陰嚢にはトランクスやブリーフなどの布地が、陰嚢にピッタリと隙間なく覆っている状態になる。この状態では、陰嚢とパンツの間に空気の流れる空間などはほとんど無く、体温が上がると陰嚢の表面は汗ばむ。そこで陰嚢は体熱を放出しようと、陰嚢の表皮を薄く伸ばすが空気の流通はないので陰嚢内の体熱は下がりづらい。これが精嚢の主たる二つの働き、▲１▼精子を製造すること。▲２▼男性ホルモンを製造分泌すること。ができづらい状態を醸成している疑いが極めて濃いのである。こうした西洋型パンツの働きに比べ、日本型パンツの越中ふんどしは、陰嚢の覆い方がその密着度において少なく、陰嚢への通気性が高いのである。特に夜間布団の中で寝ていても、陰嚢を覆う布地が少なく、かつ陰嚢への密着度が悪いので、布団の中でも少なからずの通気性を有している。本発明は、このような従来の越中ふんどしの長所を更に秀逸なものした、陰部への通気性が極めて優れていて、かつ従来の越中ふんどしより着用しやすいもので、精嚢が活性化しやすい新型の越中ふんどし型パンツ＆パンティを提供しようとするものである。本発明のような発明は、先願調査や商品カタログなどで調べてみたが、似たようなものすら見当たらなかった。
【０００５】
【課題を解決するための手段】
上記目的を達成するために、本発明における越中ふんどし型パンツ＆パンティは、次のような構成としている。
【請求項１】
（イ）腹部止めベルト１は、伸縮可能な素材で成型すると共に、前記腹部止めベルト１の両端部に、この両端部を容易に係着できる係着部２、２を設ける。
（ロ）帯状布３は、狭窄部４、４を長方形状の帯状布３の中間部に、弓形状に欠切して設けると共に、後端部にはベルト着脱部５、５を設け、かつ前端部には略ホームベース形状の前垂れ部６を成型して設ける。
以上の組み合わせよりなる越中ふんどし型パンツ＆パンティ。
【０００６】
【請求項２】帯状布３の前方中心位置に前出口７を設けたものである請求項１記載の越中ふんどし型パンツ＆パンティ。
【０００７】
【請求項３】前出口７の下方の陰部に接する帯状布３の生地を、帯状布３に代え、メッシュ生地８を逢着したものである請求項１、２記載の越中ふんどし型パンツ＆パンティ。
【０００８】
【発明の実施の形態】
本発明は、腹部止めベルト１を、伸縮可能な素材で成型すると共に、前記腹部止めベルト１の両端部に、この両端部を係着できる係着部２、２を設けてある。
帯状布３は、狭窄部４、４を長方形状の帯状布３の中間部に、弓形状に欠切して設けると共に、後端部には腹止めベルト１を係着できるベルト着脱部５、５を設け、かつ帯状布３の前端部には前垂れ部６を成型して設けてある。本実施例は、帯状布３に設けたベルト着脱部５、５に腹止めベルト１を係着させてＴ字帯をつくる。さらに係着部２、２を用いて腹止めベルト１を腹部で係着させる。その上で帯状布３の前端部にある略ホームベース形状の前垂れ部６を腹止めベルト１をくぐらせ前垂れ部６を前面に垂らして用いる。本発明は、帯状布３の中間部に弓形状に欠切して設けてあるので、陰嚢を覆う布地は最小なものになっていて、陰嚢への通気性は頗るよいものになっている。特に夜間布団のの中で寝ていても、陰嚢を覆う布地が少ないことから、陰嚢と帯状布３との間は密着しておらず空隙がたくさんあるので、ここに通気性が生じる。
【０００９】
【実施例】
本発明の実施例について図面を参照に説明する。
図１、図２は、請求項１記載に関するもので、図１は、腹止めベルト１を示す斜視図、図２は、帯状布３の形状を示す正面斜視図である。
本実施例では、腹部止めベルト１を、伸縮可能なゴム素材などで成型すると共に、前記腹部止めベルト１の両端部に、この両端部を容易に係着できる面ファスナーなどを用いて係着部２、２を設けてある。
また一方の帯状布３は、狭窄部４、４を長方形状の帯状布３の中間部に、弓形状に欠切して設けると共に、後端部には腹止めベルト１を差し込んで係着できるベルト着脱部５、５を設け、かつ帯状布３の前端部には略ホームベース形状の前垂れ部６を成型して設けてある。
【００１０】
従って本実施例を用いて使用するには、帯状布３に設けたベルト着脱部５、５に腹止めベルト１を係着させてＴ字帯をつくり、腹止めベルト１に設けられた係着部２、２を用いて腹止めベルト１を腹部で係着させる。その上で帯状布３の前端部にある略ホームベース形状の前垂れ部６を腹止めベルト１をくぐらして前垂れ部６を前面に垂らして用いる。以上のように本発明は、帯状布３の中間部に弓形状に欠切して設けてあるので、陰嚢を覆う布地は最小なものになっている。従って陰嚢への通気性は頗るよいものになっている。特に夜間布団のの中で寝ていても、陰嚢を覆う布地が少ないことから、陰嚢と帯状布３との間は密着しておらず空隙がたくさんあるので、ここに通気性が生じ、陰部が汗ばんだり、蒸れたりすることを減少させることができる。また、帯状布３の前端部は、略ホームベース形状の前垂れ部６に成型されているので、余分な布地がなく股の付け根に余分な布地が当たることもなく、活動しやすいものになっているばかりか、スタイルとしてもカッコイイものになっている。
本発明は、上記のように構成されているので、精嚢の活性化を促す働きが期待できることから、男子は男らしさを発揮し健康的な生活を展望することができる。
【００１１】
図３は、請求項２に関するもので、帯状布３に前出口７を設けた正面斜視図である。本実施例では、帯状布３の前方中心位置に縦に前出口７を設けたものである。従来のふんどしでは、帯状布３の左右の縁部から陰茎を取り出し小便の用を足していた。しかし帯状布３の前面に前出口７があれば、パンツと同様にここからスマートに陰茎を出し、小用を済ませることができる。
【００１２】
図４は、請求項３に関するもので、帯状布にメッシュを逢着した正面図である。本実施例では、前出口７の下方の陰部に接する生地を、帯状布３に代え、メッシュ生地８を逢着したものである。本実施例のようにメッシュ生地８を採用したものは、網の目状の布地である分通気性が更によくなり、本発明の目的課題を達成するものなっている。
【００１３】
【発明の効果】
本発明は上記のとおり構成されているので、次に記載する効果を奏する。
１．陰部を最小の布地で覆うことができ、太腿の付け根の左右いずれからも空気が入るので、陰部が空気に触れることが多くなり、陰部が汗ばんだり、蒸れたりすることが少なくなる。
２．特に、夜間寝具の中で就寝している間、陰部を覆う布地が少ないことから寝具の中でも一定の通気性が保たれ、精嚢が活動しやすい健康的な環境を２４時間維持することができる。
３．洗うときには、帯状布３から腹止めベルト１を外して、帯状布３だけを洗濯すればよく楽である。
４．前出口７を設けたものは、小便をするときここから陰茎を出して用を足すことができるので、便利でスマートである。
５．メッシュ生地８を逢着した実施例は、メッシュ生地８にした分、さらに通気性がよくなり、健康な状態がより増加する。
【００１４】
【図面の簡単な説明】
【図１】腹部止めベルトの斜視図である。
【図２】帯状布の斜視図である。
【図３】前出口を設けた実施例の斜視図である。
【図４】陰部が当たる部分をメッシュ生地にした実施例上面図である。
【００１５】
【符号の説明】
（１）　　は　腹部止めベルト
（２）　　は　係着部
（３）　　は　帯状布
（４）　　は　狭窄部
（５）　　は　ベルト着脱部
（６）　　は　前垂れ部
（７）　　は　前出口
（８）　　は　メッシュ生地
【図１】
2004131909.tif 000003
【図２】
2004131909.tif 000004
【図３】
2004131909.tif 000005
【図４】
2004131909.tif 000006